(57)【特許請求の範囲】
【請求項１】
端末はセル関連情報を含むネットワーククラウドチャートをインターネットサーバからダウンロードして記憶し、前記セル関連情報にセルの端末共通エアインターフェース設定パラメータが含まれ、前記ネットワーククラウドチャートの端末共通エアインターフェース設定パラメータ及び／又はセルブロードキャストメッセージにインテリジェントアクセス用の第１上りパイロットが含まれることと、
ランダムアクセス過程を実行し、ここで、前記端末に記憶されたネットワーククラウドチャートに、アクセスしようとするセルのセル関連情報が含まれ、且つ該セル関連情報が有効であると、第１上りパイロットを送信し、前記端末に記憶されたネットワーククラウドチャートに、アクセスしようとするセルのセル関連情報が含まれず、又は該セル関連情報が無効であると、非インテリジェントアクセス用の第２上りパイロットを送信することと、
パラメータ設定過程を実行し、ここで、前記端末が第１上りパイロットを送信すると、前記ネットワーククラウドチャートにおける端末共通エアインターフェース設定パラメータに相応する端末共通エアインターフェース設定を実行せず、前記端末が第２上りパイロットを送信すると、前記ネットワーククラウドチャートにおける端末共通エアインターフェース設定パラメータに相応する端末共通エアインターフェース設定を実行することと、を含む端末アクセス方法。
【請求項２】
（i）前記ネットワーククラウドチャートはセル関連情報に対応する情報更新時間をさらに含み、前記セル関連情報はセルを識別するためのセル識別子情報をさらに含み、セルブロードキャストメッセージにネットワーククラウドチャートにおけるセル関連情報の情報更新時間が含まれ、ランダムアクセス過程を実行する前、
前記方法は、前記端末がセルブロードキャストメッセージを受信し且つセル識別子情報に基づきアクセスしようとするセルのセル関連情報を記憶したか否かを判断し、記憶した場合、セルブロードキャストメッセージにおける情報更新時間と前記端末に記憶された前記セル関連情報の情報更新時間とが一致するか否かを判断し、一致すると、有効であると判断し、一致しないと、無効であると判断することをさらに含み、
（ii）前記アクセスしようとするセルは前記端末が測定結果に基づいて選択されるものであり、
（iii）端末共通エアインターフェース設定を実行した後、
前記方法は、前記端末が端末共通エアインターフェース設定結果に基づいて自体に記憶されたネットワーククラウドチャートにおける該セルのセル関連情報を更新し、且つ受信したセルブロードキャストメッセージにおける情報更新時間に基づいてそれに記憶された情報更新時間を更新することをさらに含む請求項１に記載の方法。
【請求項３】
（i）コアネットワークが、ネットワークにアタッチしている又はアタッチしたことのある端末の関連情報を含む端末情報共有クラウドチャートを記憶し、前記パラメータ設定過程において、セルが、前記端末情報共有クラウドチャートの中に前記端末の関連情報があると判断すると、セキュリティパラメータ設定過程を実行せず、セルが、前記端末情報共有クラウドチャートの中に前記端末の関連情報がないと判断すると、セキュリティパラメータ設定過程を実行し、
パラメータ設定過程後、前記端末情報に変化があると、前記方法は、前記セルが端末情報更新メッセージを前記コアネットワークに送信し、前記コアネットワークが該端末情報更新メッセージに基づいて前記端末情報共有クラウドチャートを更新することをさらに含み、
前記端末情報に変化があることは、
前記セルが、前記端末との通信が解除されたと判断する時、非アクティブ化メッセージを前記コアネットワークの端末情報共有クラウドチャートに送信することと、
前記端末情報共有クラウドチャートがタイマを起動し、タイマがタイムアウトになり且つ端末情報更新メッセージを受信していないと、前記端末情報共有クラウドチャートが該非アクティブ化された端末の関連情報を削除することと、を含み、
（ii）前記パラメータ設定過程は、端末専用パラメータ設定及びセルとコアネットワークとの間のパラメータ設定をさらに含み、
（iii）前記ランダムアクセス過程は、
前記端末がアクセスしようとするにセル上りパイロットを送信することと、
前記セルが前記上りパイロットを受信した後、前記端末に上りパイロット応答を送信することと、
前記端末が前記上りパイロット応答を受信した後、アクセス要求を送信し、ここで、前記端末が測定結果に基づいて新しいセルに切り替える必要があると判断し、且つ第２上りパイロットを送信すると、前記アクセス要求に含まれたアクセス原因が無線リンク失敗後に開始される初期アクセスであることと、を含み、
（iv）前記セルブロードキャストメッセージにセル運転状態情報がさらに含まれ、前記セル運転状態情報は現在セルが輻輳状態であることを示すと、前記端末はアクセスしようとするセルを改めて選択してランダムアクセス過程を実行する請求項１に記載の方法。
【請求項４】
セル関連情報を含むネットワーククラウドチャートをインターネットサーバからダウンロードして記憶し、前記関連情報にセルの端末共通エアインターフェース設定パラメータが含まれ、前記ネットワーククラウドチャートの端末共通エアインターフェース設定パラメータ及び／又はセルブロードキャストメッセージにインテリジェントアクセス用の第１上りパイロットが含まれるように設定されるネットワーククラウドチャートダウンロードモジュールと、
セルとインタラクションしてランダムアクセス過程を実行し、ここで、前記ネットワーククラウドチャートダウンロードモジュールに記憶されたネットワーククラウドチャートに、アクセスしようとするセルのセル関連情報が含まれ、且つ該セル関連情報が有効であると、第１上りパイロットを送信し、前記ネットワーククラウドチャートダウンロードモジュールに記憶されたネットワーククラウドチャートにアクセスしようとするセルのセル関連情報が含まれず、又は該セル関連情報が無効であると、非インテリジェントアクセス用の第２上りパイロットを送信するように設定されるランダムアクセスモジュールと、
無線エアインターフェースパラメータ設定過程を実行し、ここで、第１上りパイロットを送信すると、前記ネットワーククラウドチャートにおける端末共通エアインターフェース設定パラメータに相応する端末共通エアインターフェース設定を実行せず、第２上りパイロットを送信すると、前記ネットワーククラウドチャートにおける端末共通エアインターフェース設定パラメータに相応する端末共通エアインターフェース設定を実行するように設定されるパラメータ設定モジュールと、を含む端末。
【請求項５】
（i）前記ネットワーククラウドチャートはセル関連情報に対応する情報更新時間をさらに含み、前記セル関連情報はセルを識別するためのセル識別子情報をさらに含み、セルブロードキャストメッセージにネットワーククラウドチャートにおけるセル関連情報の情報更新時間が含まれ、前記端末に
ランダムアクセスを実行する前、セルブロードキャストメッセージを受信し且つ前記セル識別子情報に基づいてアクセスしようとするセルのセル関連情報を記憶したか否かを判断し、記憶したと判断する時、セルブロードキャストメッセージにおける情報更新時間と記憶した前記セル関連情報の情報更新時間とが一致するか否かを判断し、一致すると、有効であると判断し、一致しないと、無効であると判断するように設定される有効性判断モジュールがさらに含まれ、
（ii）前記アクセスしようとするセルは前記端末が測定結果に基づいて選択されるものであり、
（iii）前記端末が、
端末共通エアインターフェース設定を実行した後、端末共通エアインターフェース設定結果に基づいて自体に記憶されたネットワーククラウドチャートにおける該セルのセル関連情報を更新し、且つ受信したセルブロードキャストメッセージにおける情報更新時間に基づいてそれに記憶された情報更新時間を更新するように設定されるネットワーククラウドチャート更新モジュールをさらに含む、請求項４に記載の端末。
【請求項６】
請求項４又は５に記載の端末を含み、
セルの端末共通エアインターフェース設定パラメータを含むセル関連情報が含まれたネットワーククラウドチャートを記憶し、前記ネットワーククラウドチャートの端末共通エアインターフェース設定パラメータ及び／又はセルブロードキャストメッセージにインテリジェントアクセス用の第１上りパイロットが含まれるように設定されるインターネットサーバと、
無線エアインターフェースパラメータ設定過程を実行し、ここで、端末が第１上りパイロットを送信すると、前記ネットワーククラウドチャートにおける端末共通エアインターフェース設定パラメータに相応する端末共通エアインターフェース設定を実行せず、端末が第２上りパイロットを送信すると、前記ネットワーククラウドチャートにおける端末共通エアインターフェース設定パラメータに相応する端末共通エアインターフェース設定を実行するように設定されるセル及びコアネットワークのパラメータ設定モジュールと、
ネットワークにアタッチしている又はアタッチしたことのある端末の関連情報を含む端末情報共有クラウドチャートを記憶するように設定されるコアネットワークの共有クラウドチャート記憶モジュールと、
コアネットワークに記憶された端末情報共有クラウドチャートに前記端末の関連情報があるか否かを判断するように設定されるセルの端末情報判断モジュールと、をさらに含み、
前記端末情報共有クラウドチャートに前記端末の関連情報がある時、前記端末、セル、コアネットワークのパラメータ設定モジュールがセキュリティパラメータ設定過程を実行せず、前記端末情報共有クラウドチャートに前記端末の関連情報がない時、セキュリティパラメータ設定過程を実行する端末アクセスシステム。
【請求項７】
（i）前記システムは、前記端末情報に変化がある時にコアネットワークに端末情報更新メッセージを送信するように設定されるセルの共有クラウドチャート更新モジュールをさらに含み、
前記コアネットワークの共有クラウドチャート記憶モジュールはさらに、前記端末情報更新メッセージに基づいて前記端末情報共有クラウドチャートを更新するように設定され、
前記セルの共有クラウドチャート更新モジュールはさらに、前記セルと前記端末との通信が解除された時、非アクティブ化メッセージを前記コアネットワークの共有クラウドチャート記憶モジュールに送信するように設定され、
前記コアネットワークの共有クラウドチャート記憶モジュールはさらに、前記非アクティブ化メッセージに基づいてタイマを起動し、タイマがタイムアウトになり且つ端末情報更新メッセージを受信していないと、該非アクティブ化した端末の関連情報を削除するように設定され、
（ii）前記セル及びコアネットワークのパラメータ設定モジュールにより実行されるパラメータ設定は、既存のベアラ設定の継承及びセル切り替え時のデータ伝送関係の移行をさらに含み、
（iii)前記端末のランダムアクセスモジュールは、アクセスしようとするセルに上りパイロットを送信し及び前記上りパイロット応答を受信した後にアクセス要求を送信し、ここで、前記端末が測定結果に基づいて新しいセルに切り替える必要があると判断し、且つ第２上りパイロットを送信すると、前記アクセス要求に含まれたアクセス原因は無線リンク失敗後に開始される初期アクセスであることにより、セルとインタラクションするように設定され、
（iv）前記セルブロードキャストメッセージにセル運転状態情報がさらに含まれ、前記セル運転状態情報が、現在セルが輻輳状態であることを示すと、前記端末のランダムアクセスモジュールはアクセスしようとするセルを改めて選択してランダムアクセス過程を実行する請求項６に記載のシステム。
【発明の詳細な説明】
【技術分野】
【０００１】
本発明はモバイル通信システムに関し、特に端末アクセス方法、システム及び端末に関する。
【背景技術】
【０００２】
モバイル通信システムはセルラーネットワークセル方式を用いる。周波数再利用に基づくセルラーネットワークセル方式は、システム容量を大幅に向上させ、本当の意味で広義のネットワークカバレッジを実現する。端末はアクセスプロセスによってネットワークセルに関係付けられ、且つ通信サービスを得て、端末が移動してセル境界を越える際に、通信が中断しないことを確保するように、切り替えプロセスによって、元セルとの通信サービスを新しいセルに切り替えなければならない。図１及び図２に示されるように、現在に第３世代モバイル通信システム３Ｇ及び第４世代モバイル通信システム４Ｇに依然として用いられている従来の無線エアインターフェースアクセスプロセス及び無線エアインターフェース切り替えプロセスの模式図である。図１のステップ１からステップ３、図２のステップ３からステップ５はいずれもランダムアクセスである。４Ｇにおいて、ランダムアクセスは以下の５つのシーン（Ａ、Ｂ、Ｃ、Ｄ、Ｅ）を含み、５種類のアクセス原因を示す。
【０００３】
Ａ、ＲＲＣ＿ＩＤＬＥ（Ｒａｄｉｏ  Ｒｅｓｏｕｒｃｅ  Ｃｏｎｔｒｏｌ  ＿  ＩＤＬＥ、無線リソース制御−アイドル状態）により確立される初期アクセス
Ｂ、無線リンク失敗後に確立される初期アクセス
Ｃ、切り替え時のランダムアクセス
Ｄ、ＲＲＣ＿ＣＯＮＮＥＣＴＥＤ  （無線リソース制御−接続状態）での下りデータ到着
Ｅ、ＲＲＣ＿ＣＯＮＮＥＣＴＥＤ  での上りデータ到着
【０００４】
上記の５つのシーンは図１のステップ３又は図２のステップ５のシグナル内容に基づき区分可能である。
【０００５】
スペクトル利用率をさらに向上させるために、３Ｇ以降、モバイル通信システムは全ネットワークセル同一周波数ネットワークを用いる傾向があり、すべてのセルが同一のスペクトルリソースを用いる反面、隣接するセル同士に同一周波数干渉が発生し、隣接するセルの接する境界領域、すなわち切り替え領域、同一周波数干渉が最も深刻である。もともと、セル境界はパスロスが大きい弱信号場であるおそれがある上に、隣接セルの同一周波数干渉が発生し、それにより無線チャネル条件がさらに劣り、ＳＩＮＲ（Ｓｉｇｎａｌ−Ｉｎｔｅｒｆｅｒｅｎｃｅ−Ｎｏｉｓｅ−Ｒａｔｉｏ、信号対干渉雑音比）がさらに低い。切り替えの基本原理及びプロセスによれば、通常、端末が既に新しいセルのカバレッジに到達し、新しいセルの信号が元セルよりも強い時、端末は測定レポートを元セルに報告し、その後、端末は元セルからの切り替えコマンドを待ち、切り替えコマンドを受信した後に新しいセルに切り替え、図２に示される。この切り替え過程に、ステップ１とステップ２は実質には同一周波数干渉が最も深刻で、通信チャネル品質が最も悪い期間である。
【０００６】
原則として、すべてのチャネルリソースは共有に基づきスケジューリングされるものであるので、４Ｇのサービスタイプは３Ｇよりも大幅に簡略化される。４ＧはＰＳ（Ｐａｃｋｅｔ  Ｓｅｒｖｉｃｅ、パケットサービス ）だけを有するので、４Ｇの無線エアインターフェースシグナルも３Ｇよりも大幅に簡略化され、アクセスプロセスも切り替えプロセスも「ＲＲＣ  Ｃｏｎｎｅｃｔｉｏｎ」の構成に収めることができ、「ＲＲＣ  Ｃｏｎｎｅｃｔｉｏｎ」の確立、再確立及び再構成を含む。上記５種類のランダムアクセスについて、Ａ、Ｄ、Ｅの３シーンのランダムアクセスが「ＲＲＣ接続確立要求」、Ｂシーンのランダムアクセスが「ＲＲＣ接続再確立要求」、Ｃシーンのランダムアクセスが「ＲＲＣ接続再構成終了」に対応する。また、４Ｇ端末は自ら隣接セルを検出でき、４Ｇセルは３Ｇのように隣接セル情報を端末に送信しなくてもよい。
【発明の概要】
【発明が解決しようとする課題】
【０００７】
４Ｇシグナルは３Ｇよりも大幅に簡略化されたが、密集都市域のセルネットワークに対して、信号混在によって端末とセルとの頻繁なシグナル交換をもたらし、４Ｇネットワークに多くのシグナルオーバーヘッドと同一周波数干渉をもたらすようになる。且つ、４Ｇパケットサービス の「常にオンライン」及び「バースト性」の特徴によって端末とセルとのシグナル交換が増加しやすく、業界で一般的に呼ばれる「シグナルストーム」が発生する。
【０００８】
現在、同一周波数ネットワークにおけるセル境界切り替え領域の同一周波数干渉、シグナルオーバーヘッド、リソースエネルギー損失、サービス性能（例えば上りスループットや下りスループット）は、３Ｇ、４Ｇ同一周波数ネットワークの周知の欠陥となっており、この数年間の技術研究、標準発展及び業界開発の共通の焦点である。
【課題を解決するための手段】
【０００９】
本発明の実施例は、大シグナルオーバーヘッドの問題を解決するために、端末アクセス方法、システム及び端末を提供する。
【００１０】
本発明の実施例に係る端末アクセス方法は、
端末がセルの端末共通エアインターフェース設定パラメーを含むセル関連情報を含む、端末共通エアインターフェース設定パラメータ及び／又はセルブロードキャストメッセージにインテリジェントアクセス用の第１上りパイロットを含むネットワーククラウドチャートをインターネットサーバからダウンロードして記憶することと、
ランダムアクセス過程を実行し、前記端末に記憶されたネットワーククラウドチャートがアクセスしようとするセルのセル関連情報を含み、該セル関連情報が有効であると、第１上りパイロットを送信し、端末に記憶されたネットワーククラウドチャートがアクセスセルしようとするセル関連情報を含まず、又は該セル関連情報が無効であると、非インテリジェントアクセス用の第２上りパイロットを送信することと、
パラメータ設定過程を実行し、前記端末が第１上りパイロットを送信すると、前記ネットワーククラウドチャートの端末共通エアインターフェース設定パラメータに対応する端末共通エアインターフェース設定を実行せず、前記端末が第２上りパイロットを送信すると、前記ネットワーククラウドチャートの端末共通エアインターフェース設定パラメータに対応する端末共通エアインターフェース設定を実行することと、を含む。
【００１１】
本発明の実施例に係る端末アクセスシステムは、
セルの端末共通エアインターフェース設定パラメータを含むセル関連情報を含む、端末共通エアインターフェース設定パラメータ及び／又はセルブロードキャストメッセージにインテリジェントアクセス用の第１上りパイロットを含むネットワーククラウドチャートを記憶するように設定されるインターネットサーバと、
インターネットサーバからセル関連情報を含むネットワーククラウドチャートをダウンロードして記憶するように設定される端末のネットワーククラウドチャートダウンロードモジュールと、
セルとインタラクションしてランダムアクセス過程を実行し、前記ネットワーククラウドチャートダウンロードモジュールに記憶されたネットワーククラウドチャートがアクセスしようとするセルのセル関連情報を含み、且つ該セル関連情報が有効であると、第１上りパイロットを送信し、前記ネットワーククラウドチャートダウンロードモジュールに記憶されたネットワーククラウドチャートがアクセスしようとするセルのセル関連情報を含まず、又は該セル関連情報が無効であると、非インテリジェントアクセス用の第２上りパイロットを送信するように設定される端末のランダムアクセスモジュールと、
無線エアインターフェースパラメータ設定過程を実行し、端末が第１上りパイロットを送信すると、前記ネットワーククラウドチャートの端末共通エアインターフェース設定パラメータに対応する端末共通エアインターフェース設定を実行せず、端末が第２上りパイロットを送信すると、前記ネットワーククラウドチャートの端末共通エアインターフェース設定パラメータに対応する端末共通エアインターフェース設定を実行するように設定される端末、セル及びコアネットワークのパラメータ設定モジュールと、を備える。
【００１２】
本発明の実施例はさらに別の一端末アクセス方法を提供し、
コアネットワークがネットワークにアタッチしている又はアタッチしたことのある端末の情報を含む端末情報共有クラウドチャートを記憶することと、
前記セルが端末の送信するアクセス要求を受信した後、コアネットワーク端末情報共有クラウドチャートが該端末の関連情報を含むか否かを検索することと、
パラメータ設定過程を実行し、端末情報共有クラウドチャートが該端末を含むと、セキュリティパラメータ設定を実行せず、端末情報共有クラウドチャートが該端末を含まないと、セキュリティパラメータ設定を実行することと、
情報が変化する時、前記セルがコアネットワークに記憶された端末情報共有クラウドチャートを更新することと、を含む。
【００１３】
上記技術的問題を解決するために、本発明はさらに別の一端末アクセスシステムを提供し、
ネットワークにアタッチしている又はアタッチしたことのある端末の関連情報を含む端末情報共有クラウドチャートを記憶し、前記端末情報更新メッセージに基づき前記端末情報共有クラウドチャートを更新するように設定されるコアネットワークの共有クラウドチャート記憶モジュールと、
端末の送信するアクセス要求を受信した後、コアネットワーク端末情報共有クラウドチャートが該端末の関連情報を含むか否かを検索するように設定されるセルの端末認識モジュールと、
パラメータ設定を実行し、端末情報共有クラウドチャートが該端末を含むと、セキュリティパラメータ設定を実行せず、端末情報共有クラウドチャートが該端末を含まないと、セキュリティパラメータ設定を実行するように設定されるコアネットワーク、セル及び端末のパラメータ設定モジュールと、
前記端末情報が変化する時にコアネットワークに端末情報更新メッセージを送信するように設定されるセルの共有クラウドチャート更新モジュールと、を備える。
【００１４】
本発明の実施例はさらに最適な端末アクセス方法を提供し、端末がセルの端末共通エアインターフェース設定パラメータを含むセル関連情報を含むネットワーククラウドチャートをインターネットサーバからダウンロードし、コアネットワークがネットワークにアタッチしている又はアタッチしたことのある端末の関連情報を含む端末情報共有クラウドチャートを記憶し、該方法は、
端末が測定結果に基づきアクセスしようとするセルを選択するセル選択ステップと、
ランダムアクセス過程を実行し、端末によりダウンロードされたネットワーククラウドチャートがインテリジェントアクセス条件を満たすと、ランダムアクセス過程後に端末認識ステップを実行し、端末によりダウンロードされたネットワーククラウドチャートがインテリジェントアクセス条件を満たさないとランダムアクセス過程後に端末認識ステップ又はパラメータ設定ステップを実行するランダムアクセスステップと、
前記セルはネットワークにアタッチしている又はアタッチしたことのある端末の情報を含むコアネットワーク端末情報共有クラウドチャートが該端末の関連情報を含むか否かを検索する端末認識ステップと、
パラメータ設定過程を実行し、共有クラウドチャートが該端末を含むと、セキュリティパラメータ設定過程を実行せず、インテリジェントアクセス条件を満たすと、前記ネットワーククラウドチャートの端末共通エアインターフェース設定パラメータに対応する無線エアインターフェース共通パラメータ設定を実行しないパラメータ設定ステップと、
情報が変化する時、前記端末がそれに記憶されたネットワーククラウドチャートを更新し、前記セルがコアネットワークに記憶された端末情報共有クラウドチャートを更新するクラウドチャート更新ステップと、を含む。
【００１５】
本発明の実施例は端末を提供し、
セルの端末共通エアインターフェース設定パラメータを含むセル関連情報を含む、端末共通エアインターフェース設定パラメータ及び／又はセルブロードキャストメッセージにインテリジェントアクセス用の第１上りパイロットを含むネットワーククラウドチャートをインターネットサーバからダウンロードして記憶するように設定されるネットワーククラウドチャートダウンロードモジュールと、
セルとインタラクションしてランダムアクセス過程を実行し、前記ネットワーククラウドチャートダウンロードモジュールに記憶されたネットワーククラウドチャートがアクセスしようとするセルのセル関連情報を含み、且つ該セル関連情報が有効であると、第１上りパイロットを送信し、前記ネットワーククラウドチャートダウンロードモジュールに記憶されたネットワーククラウドチャートがアクセスしようとするセルのセル関連情報を含まず、又は該セル関連情報が無効であると、非インテリジェントアクセス用の第２上りパイロットを送信するように設定されるランダムアクセスモジュールと、
無線エアインターフェースパラメータ設定過程を実行し、第１上りパイロットを送信すると、前記ネットワーククラウドチャートの端末共通エアインターフェース設定パラメータに対応する端末共通エアインターフェース設定を実行せず、第２上りパイロットを送信すると、前記ネットワーククラウドチャートの端末共通エアインターフェース設定パラメータに対応する端末共通エアインターフェース設定を実行するように設定されるパラメータ設定モジュールと、を備える。
【００１６】
本発明の実施例は、切り替え過程に同一周波数干渉が深刻であるという問題を解決するために、端末アクセス方法及び端末をさらに提供する。
【００１７】
本発明の実施例に係る端末アクセス方法は、
端末は測定結果に基づき新しいセルに切り替える必要があると判断すると、アクセスしようとする新しいセルを選択するセル選択ステップと、
前記端末が上りパイロットを送信する上りパイロット送信ステップと、
前記端末がネットワーク側の送信する上りパイロット応答を受信した後、無線リンク失敗後の初期アクセス確立というアクセス確立原因が載せられたアクセス要求を送信するアクセス要求送信ステップと、を含む。
【００１８】
本発明の実施例はさらに端末を提供し、
測定結果に基づき新しいセルに切り替える必要がある時、アクセスしようとする新しいセルを選択するように設定されるセル選択モジュールと、
上りパイロットを送信するように設定される上りパイロット送信モジュールと、
ネットワーク側の送信する上りパイロット応答を受信した後、無線リンク失敗後の初期アクセス確立というアクセス確立原因が載せられたアクセス要求を送信するように設定されるアクセス要求送信モジュールと、を備える。
【発明の効果】
【００１９】
本発明の実施例に係る端末アクセス方法は、アクセス過程にシグナル交換で実現される必要のある設定パラメータをインターネットサーバ又はコアネットワークによって予め記憶することにより、端末の多すぎるシグナル交換を効果的に回避し、シグナルオーバーヘッドを減少させることができる。切り替えシーンに対して、本発明の実施例は切り替えようとするセルを直接選択し、且つターゲットセルにアクセス過程を直接確立することにより、元セルとインタラクションする時の干渉が深刻である期間を回避する。
【図面の簡単な説明】
【００２０】
【図１】図１は第３世代モバイル通信システム３Ｇと第４世代モバイル通信システム４Ｇの無線エアインターフェースアクセスプロセスと無線エアインターフェース切り替えプロセスの模式図である。
【図２】図２は第３世代モバイル通信システム３Ｇと第４世代モバイル通信システム４Ｇの無線エアインターフェースアクセスプロセスと無線エアインターフェース切り替えプロセスの模式図である。
【図３】図３は本発明に係る端末アクセス方法の実施例１の模式図である。
【図４】図４は本発明に係る端末アクセス方法の実施例２の模式図である。
【図５】図５は本発明に係る端末アクセス方法の実施例３の模式図である。
【図６】図６は本発明に係る端末アクセス方法の実施例４の模式図である。
【図７】図７は本発明に係る端末アクセス方法の実施例５の模式図である。
【図８】図８は図７のセル選択ステップのフロー図である。
【図９】図９は図７のランダムアクセスステップのフロー図である。
【図１０】図１０はインテリジェントアクセス条件判断のフロー図である。
【図１１】図１１は本発明の実施例のインテリジェントアクセスをサポートする端末のアクセスシーンと切り替えシーンにおける最も簡略化したランダムアクセスフロー図である。
【図１２】図１２は本発明の実施例のインテリジェントアクセスをサポートする端末のアクセスシーンと切り替えシーンにおける最も簡略化したランダムアクセスフロー図である。
【図１３】図１３は図７の端末認識ステップの模式図である。
【図１４】図１４は図７のパラメータ設定ステップの模式図である。
【図１５】図１５は図７のクラウドチャート更新ステップの模式図である。
【図１６】図１６は本発明の実施例の方法に係る４つのネットワークエレメントの模式図である。
【図１７】図１７は本発明に係る端末アクセスシステムの各実施例のモジュール構成模式図である。
【図１８】図１８は本発明に係る端末アクセスシステムの各実施例のモジュール構成模式図である。
【図１９】図１９は本発明に係る端末アクセスシステムの各実施例のモジュール構成模式図である。
【図２０】図２０は本発明に係る端末アクセスシステムの各実施例のモジュール構成模式図である。
【図２１】図２１は本発明の端末に係るモジュール構成模式図である。
【図２２】図２２は本発明に係る端末アクセスシステムの各実施例のモジュール構成模式図である。
【発明を実施するための形態】
【００２１】
以下、図面を参照しながら本発明の実施例を詳しく説明する。ただし、衝突しない場合に、本願の実施例及び実施例の特徴を組み合わせることができる。
【００２２】
本発明の実施例において、インターネットサーバはセルの端末共通エアインターフェース設定パラメータを含むセル関連情報を含むネットワーククラウドチャートを記憶し、端末はそれに記憶されたネットワーククラウドチャートに基づきあるセルにアクセスしようとし、且つ有効な該セルの関連情報を記憶している時、アクセス過程中の共通パラメータ設定過程を省略し、アクセスプロセスを簡略化することができる。実施例１
【００２３】
本発明に係る端末アクセス方法の実施例１において、端末はインターネットサーバからネットワーククラウドチャートをダウンロードし、好ましくは、端末は所定の戦略、たとえばサイクル又はイベントだけでインターネットサーバからネットワーククラウドチャートをダウンロードすることをトリガし、端末はその位置に基づき１つの又は複数のセルの関連情報をダウンロードしてそのネットワーククラウドチャートを更新することができ、又はインターネットサーバにおけるネットワーククラウドチャートを異なる領域に対応する複数のサブネットワーククラウドチャートに区画し、端末はその位置に基づき相応のサブネットワーククラウドチャートをダウンロードしてそのネットワーククラウドチャートを更新することができ、図３に示されるように、該方法の実施例１は以下のステップを含む。
【００２４】
ステップ３０１：端末はセルの端末共通エアインターフェース設定パラメータを含むセル関連情報を含む、端末共通エアインターフェース設定パラメータ及び／又はセルブロードキャストメッセージにインテリジェントアクセス用の第１上りパイロットを含むネットワーククラウドチャートをインターネットサーバからダウンロードして記憶する。
【００２５】
ステップ３０２：ランダムアクセス過程を実行し、前記端末に記憶されたネットワーククラウドチャートがアクセスしようとするセルのセル関連情報を含み、且つ該セル関連情報が有効であると、第１上りパイロットを送信し、前記端末に記憶されたネットワーククラウドチャートがアクセスしようとするセルのセル関連情報を含まず、又は該セル関連情報が無効であると、非インテリジェントアクセス用の第２上りパイロットを送信する。
【００２６】
本発明の実施例において、端末がアクセスしようとするセルは前記端末が測定結果に基づき選択されるものである。
【００２７】
好ましくは、前記ネットワーククラウドチャートはセル関連情報に対応する情報更新時間をさらに含み、前記セル関連情報はセルを識別するためのセル識別子情報をさらに含み、セルブロードキャストメッセージにネットワーククラウドチャートにおけるセル関連情報の情報更新時間が載せられ、ランダムアクセス過程を実行する前、
前記端末がセルブロードキャストメッセージを受信し且つセル識別子情報に基づきアクセスしようとするセルのセル関連情報を記憶したことを判断し、記憶したと、セルブロードキャストメッセージにおける情報更新時間が前記端末に記憶された前記セル関連情報の情報更新時間と一致するか否かを判断し、一致すると、有効であると判断し、一致しないと、無効であると判断することにより、端末に記憶されたセル関連情報の有効性を確定することができる。
【００２８】
ステップ３０３：パラメータ設定過程を実行し、前記端末が第１上りパイロットを送信すると、前記ネットワーククラウドチャートの端末共通エアインターフェース設定パラメータに対応する端末共通エアインターフェース設定を実行せず、前記端末が第２上りパイロットを送信すると、前記ネットワーククラウドチャートの端末共通エアインターフェース設定パラメータに対応する端末共通エアインターフェース設定を実行する。
【００２９】
前記パラメータ設定過程は、端末共通エアインターフェース設定以外、端末専用パラメータ設定、コアネットワークと端末との間のセキュリティパラメータ設定（認証、セキュリティモード、完全性保護、暗号化復号化アルゴリズムを含むが、それらに限定しない）及びセルとコアネットワークとの間のパラメータ設定（アクセスセルがコアネットワークによって端末の既存のベアラ設定を取得して継承すること、アクセスセルと端末の端末情報共有クラウドチャートにおける現在の所属セルが異なり、すなわちアクセスセルが新しいセルであると、アクセスセルはコアネットワークによって元セルから端末のデータ伝送関係を移行することを含むがそれらに限定しない）を含む。
【００３０】
上記実施例１において、ネットワーククラウドチャートにセルの端末共通エアインターフェース設定パラメータを保存することにより、端末がアクセスした後、相応の端末共通エアインターフェース設定パラメータを実行することによる遅延を回避することができ、もっとも好ましくは、ネットワーククラウドチャートにすべての端末共通エアインターフェース設定パラメータ、すなわち既存のセルブロードキャストメッセージにおける携帯端末共通エアインターフェース設定パラメータ（本発明において、該パラメータを第１エアインターフェース設定パラメータとも呼ぶ）及び既存のプロセスで端末がセルとインタラクションした後に取得するほかの端末共通エアインターフェース設定パラメータ（区分のために、本発明において、該パラメータを第２エアインターフェース設定パラメータと呼ぶ）を含み、前記端末に記憶されたネットワーククラウドチャートはアクセスしようとするセルのセル関連情報を含み、且つ該セル関連情報が有効であると判断した（以下、この状況をインテリジェントアクセス条件を満たすと呼ぶ）後、最大限に遅延を減少させるように、端末はセルブロードキャストメッセージにおける第２エアインターフェース設定パラメータを読み取らなくてもよい。
【００３１】
好ましくは、ネットワーククラウドチャートに第２エアインターフェース設定パラメータだけが保存され、既存のセルブロードキャストメッセージに依然として第１エアインターフェース設定パラメータが載せられ、前記端末に記憶されたネットワーククラウドチャートがアクセスしようとするセルのセル関連情報を含み、且つ該セル関連情報が有効であると判断した後、端末はセルブロードキャストメッセージにおける第１エアインターフェース設定パラメータを読み取って相応のパラメータ設定を行うが、第２エアインターフェース設定パラメータに対応する相応のパラメータ設定過程を実行する必要がない。
【００３２】
当然、セルのすべての端末共通設定パラメータを、ほかの方式によってセルブロードキャストメッセージ又はネットワーククラウドチャートに分けてもよく、どのように分けても、前記端末に記憶されたネットワーククラウドチャートがアクセスしようとするセルのセル関連情報を含み、且つ該セル関連情報が有効であると判断した後、端末はネットワーククラウドチャートに記憶された端末共通エアインターフェース設定パラメータに対応するパラメータ設定過程を実行する必要がない。
【００３３】
実施例２
本発明に係る端末アクセス方法の実施例２において、端末は所定の戦略によってインターネットサーバからネットワーククラウドチャートをダウンロードするとともに、共通エアインターフェース設定とセルブロードキャストメッセージを参照してそのネットワーククラウドチャートをタイムリーに更新し、図４に示されるように、該方法の実施例２は、以下のステップを含む。
【００３４】
ステップ４０１：端末は所定の戦略によって、セルの端末共通エアインターフェース設定パラメータを含むセル関連情報を含む、端末共通エアインターフェース設定パラメータ及び／又はセルブロードキャストメッセージにインテリジェントアクセス用の第１上りパイロットを含むネットワーククラウドチャートをインターネットサーバからダウンロードして記憶する。
【００３５】
ステップ４０２：ランダムアクセス過程を実行し、前記端末に記憶されたネットワーククラウドチャートがアクセスしようとするセルのセル関連情報を含み、且つ該セル関連情報が有効であると、第１上りパイロットを送信し、さもないと、非インテリジェントアクセス用の第２上りパイロットを送信する。
【００３６】
好ましくは、前記ネットワーククラウドチャートはセル関連情報に対応する情報更新時間をさらに含み、前記セル関連情報はセルを識別するためのセル識別子情報をさらに含み、セルブロードキャストメッセージにネットワーククラウドチャートにおけるセル関連情報の情報更新時間が載せられ、ランダムアクセス過程を実行する前、
前記端末がセルブロードキャストメッセージを受信し且つセル識別子情報に基づきアクセスしようとするセルのセル関連情報を記憶したことを判断し、記憶したと、セルブロードキャストメッセージにおける情報更新時間が前記端末に記憶された前記セル関連情報の情報更新時間と一致するか否かを判断し、一致すると、有効であると判断し、一致しないと、無効であると判断することにより、端末に記憶されたセル関連情報の有効性を確定することができる。
【００３７】
ステップ４０３：パラメータ設定過程を実行し、端末が第１上りパイロットを送信すると、前記ネットワーククラウドチャートの端末共通エアインターフェース設定パラメータに対応する端末共通エアインターフェース設定を実行せず、端末が第２上りパイロットを送信すると、前記ネットワーククラウドチャートの端末共通エアインターフェース設定パラメータに対応する端末共通エアインターフェース設定を実行する。
【００３８】
ステップ４０４：前記端末は端末共通エアインターフェース設定結果に基づきそれに記憶されたネットワーククラウドチャートにおける該セルのセル関連情報を更新し、且つ受信したセルブロードキャストメッセージにおける情報更新時間に基づきそれに記憶された情報更新時間を更新する。
【００３９】
実施例１に比べて、該実施例２は、共通エアインターフェース設定を実行した後、端末がそれに記憶されたネットワーククラウドチャートをタイムリーに更新し、端末はセルとの通信を中断し、且つ所定の戦略によってインターネットサーバをタイムリーに接続してネットワーククラウドチャートを更新することができない場合、再アクセス時に依然として共通エアインターフェース設定過程を実行することを回避する。
【００４０】
シグナル設定過程を短縮するために、本発明の実施例は別の一考案をさらに提供し、すなわちコアネットワークはネットワークにアタッチしている又はアタッチしたことのある端末の関連情報を含む端末情報共有クラウドチャートを記憶し、セルはコアネットワークに記憶された端末情報共有クラウドチャートに基づきアクセスする端末が検証免除条件を満たすか否かを判断し、満たすとセキュリティ設定過程を実行しなくてもよく、アクセス過程を短縮させ、以下、実施例３を例として説明する。
【００４１】
実施例３
本発明に係る端末アクセス方法の実施例３において、コアネットワークがネットワークにアタッチしている又はアタッチしたことのある端末の関連情報を含む端末情報共有クラウドチャートを記憶し、パラメータ設定過程に、セルは前記端末情報共有クラウドチャートに前記端末の関連情報を含むと判断し、セキュリティパラメータ設定過程を実行せず、セルは前記端末情報共有クラウドチャートに前記端末の関連情報を含まないと判断し、セキュリティパラメータ設定過程を実行し、具体的には、図５に示されるように、該方法の実施例３は、以下のステップを含む。
【００４２】
ステップ５０１：コアネットワークがネットワークにアタッチしている又はアタッチしたことのある端末の情報を含む端末情報共有クラウドチャートを記憶する。
【００４３】
ステップ５０２：前記セルが端末の送信するアクセス要求を受信した後、コアネットワーク端末情報共有クラウドチャートが該端末の関連情報を含むか否かを検索する。
【００４４】
アクセス端末に対して、セルはコアネットワークの端末情報共有クラウドチャートによってアクセス端末の送信したＭＳＧ３のマッチングする端末ネットワーク識別子を検索し、検索タイマがタイムアウトになる前に見つけると、この端末がネットワーク正規ユーザであると仮判断、受け入れるべきであり、その後、さらに地理的近接性の原則に基づき、端末情報共有クラウドチャートにおいてこの端末の現在の所属セル、すなわち元セルを見つける。元セルが新しいセルと一致すると発見すると、この端末はセルを変更しておらず、依然として元セルでアクセスすることを示す。元セルが新しいセルと一致しないと発見すると、この端末はセルを変更し、又は元セルから新しいセルに切り替え、又は元セルの無線リンク失敗後に新しいセルにＲＲＣ接続再確立要求を送信し、又は元セルがアタッチ解除した後に新しいセルにＲＲＣ接続確立要求を送信することを示す。それに対して、新しいセルはコアネットワークによって元セルと協議し、端末の元セルにおけるベアラ設定情報を継承し、及び端末データ伝送関係の移行を行う必要がある。
【００４５】
ステップ５０３：パラメータ設定過程を実行し、端末情報共有クラウドチャートが該端末を含むと、セキュリティパラメータ設定を実行せず、端末情報共有クラウドが該端末を含まないと、セキュリティパラメータ設定を実行する。
【００４６】
端末個体に関連するいくつかの専用設定、たとえば４ＧのＰＵＣＣＨ（Ｐｈｙｓｉｃａｌ  Ｕｐｌｉｎｋ  Ｃｏｎｔｒｏｌ  Ｃｈａｎｎｅｌ、物理上り制御チャネル）及び相応のＣＱＩ／ＰＭＩ／ＲＩ／ＡＣＫ／ＮＡＣＫの設定、ＳＲＳ（Ｓｏｕｎｄｉｎｇ  Ｒｅｆｅｒｅｎｃｅ  Ｓｉｇｎａｌ、サウンディング基準信号）の設定は元の設定を継承すること又はデフォルト規則によって取得不能であると、セルはＭＳＧ３の後にアクセス端末に対してシグナル設定を再び行う必要があるが、このシグナルオーバーヘッドが従来のようにすべてを設定するシグナルよりも遥かに小さい。ＳＰＳ（Ｓｅｍｉ−Ｐａｃｋｅｔ  Ｓｅｒｖｉｃｅ、半静的パケットサービス ）、特定のＱＯＳ（Ｑｕａｌｉｔｙ  ｏｆ  Ｓｅｒｖｉｃｅ、サービス品質）要求を有するサービスの専用ベアラの追加、変更、解放、及び端末のＰＤＳＣＨ（Ｐｈｙｓｉｃａｌ  Ｄｏｗｎｌｉｎｋ  Ｓｈａｒｅｄ  Ｃｈａｎｎｅｌ  、物理下り共有チャネル）のＴＭ（Ｔｒａｎｓｆｅｒ  Ｍｏｄｅ、伝送モード）切り替えに対して、端末の所属セルがシグナルを送信して設定する必要がある。
【００４７】
ステップ５０４：情報が変化する時、前記セルがコアネットワークに記憶された端末情報共有クラウドチャートを更新する。
【００４８】
好ましくは、パラメータ設定過程後、前記端末情報が変化すると、セルは端末情報更新メッセージをコアネットワークに送信し、コアネットワークは該端末情報更新メッセージに基づき前記端末情報共有クラウドチャートを更新する。
【００４９】
端末情報共有クラウドチャートの更新は端末関連情報の新規作成、変更を含む。具体的には、端末が成功裏にセルにアクセスした後、セルはコアネットワークの端末情報共有クラウドチャートにおいてこの端末を検索する必要があり、見つけると関連情報を更新し、見つけていないと、この端末及び関連情報を新規作成する。
【００５０】
前記端末情報が変化することは、
前記セルが前記端末との通信を解除すると判断する時、非アクティブ化メッセージを前記コアネットワークの端末情報共有クラウドチャートに送信することと、
前記端末情報共有クラウドチャートがタイマを起動し、タイマがタイムアウトになり且つ端末情報更新メッセージを受信していないと、前記端末情報共有クラウドチャートが該非アクティブ化された端末の関連情報を削除することと、を含む。
【００５１】
実施例４
本発明の実施例は端末アクセス方法をさらに提供し、該方法は既存のセル切り替えプロセスを焦点として改良し、図６に示されるように、該方法は、以下のステップを含む。
【００５２】
ステップ６０１：端末は測定結果に基づき新しいセルに切り替える必要があると判断すると、アクセスしようとする新しいセルを選択するセル選択ステップ
【００５３】
ステップ６０２：前記端末が上りパイロットを送信する上りパイロット送信ステップ
【００５４】
ステップ６０３：前記端末がネットワーク側の送信する上りパイロット応答を受信した後、無線リンク失敗後の初期アクセス確立というアクセス確立原因が載せられたアクセス要求を送信するアクセス要求送信ステップ
【００５５】
従来の切り替え技術は端末がすでに新しいセルのカバレッジに移動し、すなわち新しいセルのカバレッジ信号強度が元セルのカバレッジ信号強度よりも強くなってから、測定レポートを元セルに送信することを開始し、その後、元セルが切り替えコマンドを端末に送信し、この過程に、端末は終始弱くなりつつある元セルと通信することにより、強くなりつつある新しいセル信号の干渉を終始受けることであり、従来の技術に比べて、端末は切り替えシーンにおいて、測定結果に基づきアクセスしようとする新しいセルと直接インタラクションし、従来の切り替えプロセス中のチャネル条件がもっとも悪い段階を回避し、切り替え失敗による通信中断のリスクを低減させ、且つアクセス要求に無線リンク失敗後の初期アクセス確立というアクセス原因が載せられ、セルは該アクセス要求を受信した後、従来のアクセスプロセスとの円滑な移行を実現する。
【００５６】
また、本発明の実施例の方法はセル内アクセスとセル間切り替えとの互換性があり、セル内アクセスとセル間切り替えの２種類のシグナルプロセスを融合し、シグナルを簡略化する。
【００５７】
好ましくは、端末が第１上りパイロットを送信すると、アクセス要求に載せられたアクセス原因が初期アクセス（背景技術のＡシーンに対応する）、無線リンク失敗後に確立される初期アクセス（背景技術のＢシーンに対応する）、切り替え時のランダムアクセス（背景技術のＣシーンに対応する）、接続状態での下りデータ到着（背景技術のＤシーンに対応する）又は接続状態での上りデータ到着（背景技術のＥシーンに対応する）であり、アクセス要求の具体的なメッセージは従来の技術と同様であり、すなわちＡ、Ｄ、Ｅシーンにおいて、前記アクセス要求が「ＲＲＣ接続確立要求」であり、Ｂシーンにおいて、アクセス要求が「ＲＲＣ接続再確立要求」であり、Ｃシーンにおいて、アクセス要求が「ＲＲＣ接続再構成終了」であり、端末が第２上りパイロットを送信すると、アクセス要求に載せられたアクセス原因がＡ、Ｂ、Ｄ、Ｅであり、ただし、端末が新しいセルに切り替える時、載せられたアクセス原因を無線リンク失敗後に確立される初期アクセスに変更し、すなわちアクセス原因がＡ、Ｄ、Ｅシーンであると、前記アクセス要求が「ＲＲＣ接続確立要求」であり、Ｂ、Ｃシーンであると、アクセス要求が「ＲＲＣ接続再確立要求」である。
【００５８】
前記セルブロードキャストメッセージにセル運転状態情報がさらに載せられてもよく、前記セル運転状態情報は現在セルが輻輳状態であると、前記端末はアクセスしようとするセルを改めて選択してランダムアクセス過程を実行する。
【００５９】
実施例５
好ましくは、該端末アクセス方法は同時にネットワーククラウドチャートと端末情報共有クラウドチャートを用いてパラメータ設定過程を簡略化する。
【００６０】
該実施例５において、インターネットサーバはセルの端末共通エアインターフェース設定パラメータを含むセル関連情報を含むネットワーククラウドチャートを記憶し、端末は所定の戦略によってセル関連情報を含むネットワーククラウドチャートをインターネットサーバからダウンロードし、コアネットワークがネットワークにアタッチしている又はアタッチしたことのある端末の関連情報を含む端末情報共有クラウドチャートを記憶し、図７に示されるように、該方法は、以下のステップを含む。
【００６１】
ステップ７０１：端末が測定結果に基づきアクセスしようとするセルを選択するセル選択ステップ
【００６２】
図８に示されるように、該セル選択ステップは、以下のステップを含む。
【００６３】
ステップ７０１１：端末が測定に基づき１つのセルを選択する。
【００６４】
ステップ７０１２：該セルブロードキャストメッセージを受信し、そのセル状態情報を読み取る。
【００６５】
ステップ７０１３：セルが輻輳するか否かを判断し、輻輳すると、実行ステップ７０１１を実行し、輻輳しないと、ステップ７０２、すなわちランダムアクセスステップを実行する。
【００６６】
ステップ７０２：ランダムアクセス過程を実行し、端末によりダウンロードされたネットワーククラウドチャートがインテリジェントアクセス条件を満たすと、ランダムアクセス過程後に端末認識ステップを実行し、端末によりダウンロードされたネットワーククラウドチャートがインテリジェントアクセス条件を満たさないと、ランダムアクセス過程後に端末認識ステップ又はパラメータ設定ステップを実行する（ランダムアクセスステップ）。
【００６７】
図９に示されるように、ランダムアクセスステップは、以下のステップを含む。
【００６８】
ステップ７０２１：端末に上りパイロットＭＳＧ１を送信する。
【００６９】
該ステップにおいて、インテリジェントアクセス条件を満たすと、ランダムアクセス過程にインテリジェントアクセス上りパイロット（第１上りパイロットとも呼ぶ）を送信し、インテリジェントアクセス条件を満たさないと、非インテリジェントアクセス上りパイロット（第２上りパイロットとも呼ぶ）を送信する。
【００７０】
さらに具体的には、図１０に示されるように、インテリジェントアクセス条件を満たす判断過程は、以下のステップを含む。
【００７１】
ステップ１００１：ネットワーククラウドチャートを記憶したか否かを判断し、ＹＥＳであると、ステップ１００２を実行し、ＮＯであると、インテリジェントアクセス条件を満たさないと判断する。
【００７２】
ＧＰＳが無効になると、端末はサービスセル及び隣接セルの測定に基づき、ネットワーククラウドチャートにおけるセル情報とマッチングし、且つ端末の既存の履歴情報を合わせて、現在のネットワークとネットワーククラウドチャートとの関連関係を総合的に判断する。判断できないと、記憶したネットワーククラウドチャートが一時的に無効になり、インテリジェントアクセス条件を満たすことができないと考えられる。
【００７３】
ステップ１００２：ネットワーククラウドチャートが現在の領域を含むか否かを判断し、ＹＥＳであると、ステップ１００３を実行し、ＮＯであると、インテリジェントアクセス条件を満たさないと判断する。
【００７４】
ステップ１００３：現在の領域が該セル情報を含むか否かを判断し、ＹＥＳであると、ステップ１００４を実行し、ＮＯであると、インテリジェントアクセス条件を満たさないと判断する。
【００７５】
ステップ１００４：該セルの情報更新時間を読み取る。
【００７６】
ステップ１００５：記憶した該セルの情報更新時間がセルブロードキャストメッセージにおける該セルの情報更新時間と一致するか否かを判断し、ＹＥＳであると、インテリジェントアクセス条件を満たすと判断し、ＮＯであると、インテリジェントアクセス条件を満たさないと判断する。
【００７７】
ステップ７０２２：セルがＭＳＧ１を受信した後に上りパイロット応答ＭＳＧ２を送信する。
【００７８】
ステップ７０２３：端末は、４Ｇの従来のアクセスプロセスの「ＲＲＣ接続要求」、又は「ＲＲＣ接続再確立要求」、又は従来の切り替えプロセスの「ＲＲＣ接続再確立終了」に相当する、アクセス原因（Ａ／Ｂ／Ｃ／Ｄ／Ｅのうちの１種）及びこの前に端末をネットワークにアタッチする時に割り当てられた有効ネットワーク識別子が載せられたアクセス要求ＭＳＧ３を送信する。端末をネットワークにアタッチしたことがなく（たとえば、起動直後）、ネットワーク識別子がないと、端末が送信したＭＳＧ３にセルがＭＳＧ２により端末に割り当てる一時的ネットワーク識別子、たとえばＣ−ＲＮＴＩ（Ｃｅｌｌ−Ｒａｄｉｏ  Ｎｅｔｗｏｒｋ  Ｔｅｍｐｏｒａｒｙ  Ｉｎｄｉｃａｔｏｒ、セル−無線ネットワーク一時的識別子）が載せられる。
【００７９】
図１１と図１２は本発明の実施例のインテリジェントアクセスをサポートする端末のアクセスシーンと切り替えシーンにおける最も簡略化したランダムアクセスフロー図である。図１の従来のアクセスフロー図及び図２の従来の切り替えフロー図に比べたところ、新プロセスは無線エアインターフェースシグナルを効果的に簡略化し、シグナルオーバーヘッドを減少させる。
【００８０】
ステップ７０３：前記セルはネットワークにアタッチしている又はアタッチしたことのある端末の情報を含むコアネットワーク端末情報共有クラウドチャートが該端末の関連情報を含むか否かを検索する（端末認識ステップ）。
【００８１】
図１３に示されるように、インテリジェントアクセス上りパイロットによりアクセスされる端末に対して、セルはコアネットワークの端末情報共有クラウドチャートにおいて該端末を検索しなければならず、所定の検索タイマがタイムアウトになる前に見つけると、この端末が検証免除インテリジェント端末であると判断し、所定の検索タイマがタイムアウトになる前に見つけていないと、検証待ちインテリジェント端末であると判断する。
【００８２】
非インテリジェントアクセス上りパイロットによりアクセスされる端末に対して、セルはコアネットワークの端末情報共有クラウドチャートにおいて該端末を検索してもよく、所定の検索タイマがタイムアウトになる前に見つけると、この端末が検証免除普通端末であると判断し、所定の検索タイマがタイムアウトになる前に見つけていないと、検証待ち普通端末であると判断する。或いは、セルとコアネットワークは既存のメカニズムによって非インテリジェントアクセス上りパイロットによりアクセスされる端末を処理してもよく、すなわち従来の方式によって従来のアクセスと切り替えを処理する。
【００８３】
ステップ７０４：パラメータ設定過程を実行する（パラメータ設定ステップ）。
【００８４】
以下、ネットワーククラウドチャートにすべての端末共通エアインターフェース設定パラメータを含むことを例とし、パラメータ設定を説明し、一般的には、パラメータ設定は、
無線エアインターフェース共通パラメータ設定である第１パラメータ（ＳＳ１＿１）設定と、
無線エアインターフェース専用パラメータ設定である第２パラメータ（ＳＳ１＿２）設定と、
コアネットワークと端末との間のセキュリティパラメータ設定である第３パラメータ（ＳＳ２）設定と、
セルとコアネットワークとの間のパラメータ設定である第４パラメータ（ＳＳ４）設定と、を含む。
【００８５】
第２パラメータ（ＳＳ１＿２）は専用パラメータであり、セルにおける端末のカスタマイズ設定を表し、異なる端末の専用パラメータについて、同様に設定してもよいものがあれば、異なるように設定しなければならないものもあり、モバイル通信技術のリソース共有の発展動向で、このカスタマイズ設定が少なくなりつつあり、すなわちＳＳ１＿２のＳＳ１に対する割合も少なくなりつつある。
【００８６】
第３パラメータ（ＳＳ２）設定は認証、セキュリティモード、完全性保護、暗号化復号化アルゴリズムなどを含むがそれらに限定しない。
【００８７】
第４パラメータ（ＳＳ４）設定は、アクセスセルがコアネットワークによって端末の既存のベアラ設定を取得して継承することと、アクセスセルと端末の端末情報共有クラウドチャートにおける現在の所属セルが異なり、すなわちアクセスセルが新しいセルであると、アクセスセルはさらにコアネットワークによって元セルから端末のデータ伝送関係を移行する必要があることを含むがそれらに限定しない。
【００８８】
共有クラウドチャートが該端末を含むと、該端末が検証免除端末であることを示し、セキュリティパラメータ設定過程を実行せず、共有クラウドチャートが該端末を含まないと、該端末が検証待ち端末であることを示し、セキュリティパラメータ設定過程を実行する必要があり、インテリジェントアクセス条件を満たすと、前記ネットワーククラウドチャートの端末共通エアインターフェース設定パラメータに対応する無線エアインターフェース共通パラメータ設定を実行せず、前記端末がインテリジェントアクセス条件を満たさないと、前記ネットワーククラウドチャートの端末共通エアインターフェース設定パラメータに対応する無線エアインターフェース共通パラメータ設定を実行する必要がある。図１４に示されるように、
（１）検証免除端末であり且つインテリジェントアクセス条件を満たし、パラメータ設定がＳＳ１＿２及びＳＳ３だけを含む検証免除インテリジェント端末と、
（２）検証待ち端末であるがインテリジェントアクセス条件を満たし、パラメータ設定がＳＳ１＿２、ＳＳ２及びＳＳ３を含む検証待ちインテリジェント端末と、
（３）検証免除端末であるがインテリジェントアクセス条件を満たさず、パラメータ設定がＳＳ１及びＳＳ３だけを含む検証免除普通端末と、
（４）検証待ち端末であるがインテリジェントアクセス条件を満たさず、パラメータ設定がＳＳ１、ＳＳ２及びＳＳ３を含む検証待ち普通端末と、を含む。
【００８９】
ステップ７０５：情報が変化する時、前記端末がそれに記憶されたネットワーククラウドチャートを更新し、前記セルがコアネットワークに記憶された端末情報共有クラウドチャートを更新する（クラウドチャート更新ステップ）。
【００９０】
図１５に示されるように、クラウドチャート更新は端末がそのメモリにおけるネットワーククラウドチャートを更新すること及びセルがコアネットワークにおける端末情報共有クラウドチャートを更新することの両部分を含む。端末がそれに記憶されたネットワーククラウドチャートにおけるアクセスセルの関連情報を更新することは２種類の方式がある。
【００９１】
方式１：端末がアクセスのパラメータ設定段階に共通パラメータＳＳ１＿１をさらに設定すると、この端末はパラメータ設定段階に取得した共通パラメータＳＳ１＿１とセルブロードキャストメッセージを読み取って取得した共通パラメータＳＳ０をともに、端末に記憶されたネットワーククラウドチャートの該セルの無線エアインターフェース設定パラメータに更新し、それに対して、該セルの情報更新時間をセルブロードキャストの情報更新時間に変更する。
【００９２】
方式２：端末がインターネットにアクセスし、ネットワーククラウドチャートにおけるアクセスセルの関連情報をダウンロードして更新する。
【００９３】
セルがコアネットワークの端末情報共有クラウドチャートにおける端末の関連情報を更新することは、変更又は新規作成の２種類の操作を含む。セルが端末情報共有クラウドチャートにおいて該アクセス端末を見つけると、変更操作に更新し、見つけていないと、新規作成操作に更新する。端末情報共有クラウドチャートにおける端末情報の削除操作は、端末寿命タイマが起動し且つタイムアウトになった後に能動的に確立される。
【００９４】
以下、本発明の実施例に係るネットワーククラウドチャートの最適な方式を詳しく説明する。
【００９５】
本発明の実施例に係るネットワーククラウドチャートはモバイル通信ネットワークにおける各セル関連情報及び相応のセル関連情報の情報更新時間を含む電子マップを含む。
【００９６】
情報更新時間の時間粒度は日、時間、ひいては分であってもよい。ネットワーククラウドチャートにおける情報が１日間サイクルで更新され、たとえば毎日０時に更新されると、情報更新時間粒度が日である。イベントトリガに基づき更新され、たとえばあるセルの情報が変化し、且つネットワーククラウドチャートを記憶したインターネットサーバに通知して同期化すると、情報更新時間粒度が分であってもよく、セルがインテリジェントアクセスをサポートしないと、情報更新時間がデフォルト値、たとえば０である。
【００９７】
セル関連情報は以下を含む。
【００９８】
１、セルを識別するためのセル識別子情報。該セル識別子情報は異なるセルを区別することに用いられ、具体的には、３Ｇのセル区別用のスクランブラ、４Ｇのセル区別用のＰＣＩ（Ｐｈｙｓｉｃａｌ  Ｃｅｌｌ  Ｉｄｅｎｔｉｆｉｅｒ、物理セル識別子）であってもよく、該セル識別子情報は地理位置情報をさらに含んでもよく、具体的な地理位置情報はセルの経緯度であってもよく、必要に応じて、標高を加えてもよく、平面マップを立体マップに拡張する。
【００９９】
２、ブロードキャストメッセージ、アクセス過程と切り替え過程にセルが端末に設定する各種の共通パラメータを含むセルが端末に設定する各種の共通パラメータである無線エアインターフェース設定パラメータ。共通パラメータ中の隣接セル情報は個別オフセットが０ではない隣接セルだけを記憶することができる。４Ｇに対して、無線エアインターフェース設定パラメータは、ＳＩ（システムメッセージ）、ＳｅｃｕｒｉｔｙＣｏｎｆｉｇ（セキュリティ設定）、ＵＥ＿ＴｉｍｅｒｓＡｎｄＣｏｎｓｔａｎｔｓ（ＵＥのタイマのカウンタ）、ＲａｄｉｏＲｅｓｏｕｒｃｅＣｏｎｆｉｇＣｏｍｍｏｎ（無線リソース共通設定）、ＲａｄｉｏＲｅｓｏｕｒｃｅＣｏｎｆｉｇＤｅｄｉｃａｔｅｄ（無線リソース専用設定）中の端末単体と無関係の設定、ＭｅａｓＣｏｎｆｉｇ（測定設定）を含む。
【０１００】
３、拡張フィールド。ネットワーククラウドチャート情報の追加及び拡張、たとえばセルのカバレッジ方向の追加に用いられる。
【０１０１】
ネットワーククラウドチャートはモバイル通信セルラーネットワークセル情報のデータベースであり、インターネット（共通エクストラネット）のサーバに記憶され、端末が自由にダウンロードし、記憶して利用することに供する。端末は本発明に係るモバイル通信ネットワークに限定せず、有線、無線などの任意のネットワーク方式によってサーバに接続してネットワーククラウドチャートをダウンロードしてもよい。
【０１０２】
セルラーネットワークの各セルは、関連情報が変化した後、所定のメカニズム、たとえばサイクルトリガ更新又はイベントトリガ更新にしたがって、コアネットワークによって、最新情報をインターネットにおけるネットワーククラウドチャートに更新する。
【０１０３】
端末はインターネットにおけるネットワーククラウドチャートをセル関連情報取得して更新してもよく、アクセスセルのブロードキャストメッセージ及びアクセス過程にセルが端末に設定する無線エアインターフェースパラメータを読み取ることにより該セルの最新情報を取得し、且つ端末に記憶されたネットワーククラウドチャートにおける該セル関連情報（たとえば、無線エアインターフェース設定パラメータ）と情報更新時間を更新してもよい。
【０１０４】
ネットワーククラウドチャートの各セルの無線エアインターフェース設定パラメータはこのセルにアクセスするすべての端末の共通のものであり、すなわち端末単体と無関係であるので、本発明は次世代モバイル通信システム及び部分的に改良された４Ｇネットワークと３Ｇ  ＨＳＰＡ＋ネットワークにより適用できる。それらのネットワークにおいて、セルにおけるチャネルリソースはほとんど共有してスケジューリングされ、端末同士の無線エアインターフェース設定パラメータがほぼ同様である。
【０１０５】
異なるセルの無線エアインターフェース設定パラメータも大同小異であるので、各セルの索引に供するように、いくつかの典型的な設定テンプレートを標準化して生成することができる。それにより記憶の情報量を大幅に減少させ、ネットワーククラウドチャートを記憶したインターネットサーバと端末によるネットワーククラウドチャートの記憶、伝送及び処理に利便性をもたらすことができる。
【０１０６】
インターネットにおけるネットワーククラウドチャートは関連ネットワークの事業者により制御され、ほかの人は新規作成、削除及び変更を行う権限がない。端末におけるネットワーククラウドチャートは手動で自由に変更してはならず、情報が不正確で通信が不能であることを回避するように、本発明に記載の方式により更新しなければならない。
【０１０７】
モバイル通信ネットワークの構築初期、ネットワークは調整最適化段階にあり、ネットワーククラウドチャート更新が比較的頻繁であり、ネットワークが徐々に成熟した後、ネットワーククラウドチャートもそれにつれて安定する。
【０１０８】
以下、本発明の実施例に係る端末情報共有クラウドチャートの最適な方式を詳しく説明する。
【０１０９】
本発明の実施例に係る端末情報共有クラウドチャートはモバイル通信ネットワーク中のネットワークにアタッチされる各端末の関連情報を含む電子マップであり、本発明に係るモバイル通信ネットワークの所属コアネットワーク（専用イントラネット）における情報データベースに記憶され、関連情報は以下を含む。
【０１１０】
（１）端末がネットワークにアタッチして割り当てられたネットワーク識別子、すなわちＵＥ−Ｃｏｎｔｅｘｔ（端末コンテキスト情報）、たとえばＧＵＴＩ（Ｇｌｏｂａｌｌｙ  Ｕｎｉｑｕｅ  Ｔｅｍｐｏｒａｒｙ  Ｉｄｅｎｔｉｆｉｅｒ、端末固有識別子）
【０１１１】
（２）端末の現在の所属セルのネットワーク識別子。たとえば、３Ｇセルのスクランブラ、４ＧセルのＰＣＩ
【０１１２】
（３）端末の現在の所属セルの地理位置。ネットワーククラウドチャートにおけるセル地理情報と一致する。
【０１１３】
（４）寿命タイマ。現在セルはこの端末が「デタッチ確立」又は「無線リンク失敗」又は「切り替え」によって現在セルとの通信を解除することを発見すると、現在セルは「非アクティブ化」メッセージを端末情報共有クラウドチャートに送信する。端末情報共有クラウドチャートが現在セルの送信する「非アクティブ化」メッセージを受信する時、この端末の寿命タイマを起動し、タイマがタイムアウトになる前に、新しいセル（現在セルを含む）の送信するこの端末情報更新を受信すると、この端末関連情報を更新し、このタイマも計時を停止してクリアし、タイマがタイムアウトになり、新しいセルの送信するこの端末情報更新を受信していないと、端末共有クラウドチャートがこの端末及びその関連情報を削除する。寿命タイマの設定は端末の通信サービス特徴、セキュリティ及び追従領域更新などの要素に基づき総合的に配慮でき、たとえば１時間又は１日間に設定できる。
【０１１４】
（５）拡張フィールド。端末情報共有クラウドチャート情報の追加及び拡張に用いられる。たとえば端末の能力、端末ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ、国際移動体装置識別番号）、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、国際移動体加入者識別番号）などの情報を追加する。
【０１１５】
大容量ユーザをサポートするために、ネットワークは同一の端末ネットワーク識別子を異なるセルにおける異なる端末に割り当てる可能性があるので、端末情報共有クラウドチャートにセル情報を追加することによりそれらの端末を区別することができる。
【０１１６】
端末のアクセスセルが変化する時、新しいセルはコアネットワークの端末情報共有クラウドチャートにおいてこの端末を検索しなければならず、見つけて同一の端末であると判断すると（新しいセルと元セルの地理情報に基づき判断可能である）、関連情報を更新し、見つけていないと、この端末の関連情報を新規作成する。
【０１１７】
端末情報共有クラウドチャートもネットワーク事業者により制御され、ほかの人は新規作成、削除及び変更を行う権限がない。
【０１１８】
本発明の実施例に係る端末は、以下の機能を満たしてサポートしなければならない。
【０１１９】
（１）ネットワーククラウドチャートを能動的にダウンロード、記憶、更新、管理及び利用する。端末は時間、場所、ネットワークや方式にかかわらずネットワーククラウドチャートを格納したインターネットサーバにアクセスし、端末の記憶能力、移動の地理的範囲に基づき一定のサイズのネットワーククラウドチャートをダウンロードすることができる。たとえば現在の位置の所在するエリアのネットワーククラウドチャート、常に移動するエリアのネットワーククラウドチャート、現在に乗る高速鉄道プライベートネットワークのネットワーククラウドチャートなどをダウンロードする。ダウンロード情報がセルを単位とする。セル情報を更新する時、端末はそれに記憶されたネットワーククラウドチャートにおけるセルの情報更新時間がインターネットサーバにおけるネットワーククラウドチャートにおける相応のセルの情報更新時間よりも早くないと発見すると、このセル情報を維持し、すなわち更新しない。端末は能動的に更新時間を決定し、たとえばサイクルでネットワーククラウドチャートを更新し、移動状況、サービスセル状況などに合わせて、更新するか否かを自ら決定する。端末は長時間にわたり用いていないネットワーククラウドチャートを能動的に削除することができる。
【０１２０】
（２）インテリジェントアクセスと従来のアクセス及び切り替えとの互換性がある。インテリジェントアクセスは、端末がそれに記憶されたネットワーククラウドチャートにアクセスセルの有効情報を含むと判断する時にアクセスセルからわざわざ区画された一部の上りパイロット（ここでインテリジェントアクセス上りパイロットと定義される）により確立されるアクセスであり、従来のアクセスと切り替えは、端末がそれに記憶されたネットワーククラウドチャートにアクセスセルの有効情報を含まないと判断する時にインテリジェントアクセス上りパイロット以外の上りパイロット（ここで非インテリジェントアクセス上りパイロットと定義される）により確立されるアクセスである。従来のアクセスと切り替えに対して、端末はセルにアクセスした後、セルブロードキャストメッセージ及びアクセス過程にセルが端末に設定する無線エアインターフェースパラメータに合せて、それに記憶されたネットワーククラウドチャートにおけるアクセスセルのセル関連情報と情報更新時間を更新し、情報更新時間をセルブロードキャストメッセージにおける情報更新時間を更新する。
【０１２１】
（３）インテリジェントアクセスの切り替えシーンにおいて、すなわち端末は連続的に測定してセル切り替え条件を満たすと発見した後、端末は元セルに測定レポートを送信し及び元セルから切り替えコマンドを受信する必要がなく、新しいセルにおいてアクセス原因がＣ「切り替え時のランダムアクセス」であるインテリジェントアクセスを直接確立する。それにより従来の切り替えプロセス中のチャネル条件がもっとも悪い段階、すなわち図２のステップ１とステップ２を回避し、切り替え失敗による通信中断のリスクを低減させる。
【０１２２】
（４）従来の切り替えシーンにおいて、インテリジェントアクセスをサポートする端末も元セルに測定レポートを送信せず及び元セルから切り替えコマンドを受信せず、新しいセルにおいてアクセス原因がＢ「無線リンク失敗後に確立される初期アクセス」（ただし、Ｃ「切り替え時のランダムアクセス」ではない）である従来のアクセス、すなわちＲＲＣ接続再確立要求を直接確立することにより、図２ステップ１とステップ２に示されるチャネル条件がもっとも悪い２つの段階を回避する。
【０１２３】
（５）ＧＰＳが無効になると、端末はサービスセル及び隣接セルへの測定に基づき、ネットワーククラウドチャートにおけるセル情報とマッチングし、且つ端末の既存の履歴情報を合わせて、現在の所属ネットワークとネットワーククラウドチャートとの関連関係を総合的に判断する。判断できないと、記憶されたネットワーククラウドチャートが一時的に無効になり、インテリジェントアクセス条件を満たさないと考えられる。
【０１２４】
本発明の実施例に係るネットワーククラウドチャートの設計によって、一セルの情報量が１０ＫＢｉｔｓ以下で、１０００個の基地局での３０００個のセル（基地局のそれぞれが３個のセクタを含む）の情報総量が３０ＭＢｉｔｓ以下である。ほとんどのセルの無線エアインターフェース設定パラメータが一致し、いくつかの典型的な設定テンプレートを標準化して生成し各セルの索引に供することができるので、実際の情報総量が遥かに少ない。現在及び将来の端末の記憶能力に対して、端末はそれらの情報を記憶することに問題がない。
【０１２５】
端末の処理能力の設計要件の１つは、ピークトラフィックのデータ伝送をサポートできることであり、しかしながら、実際の応用で、この現象が発生する確率が小さく、アクセス過程にこの現象が発生することなく、端末はインテリジェントアクセスの関連処理を行う十分な処理冗長性がある。
【０１２６】
本発明の実施例に係るセルは、好ましくは以下の機能を満たしてサポートする。
【０１２７】
（１）ブロードキャストメッセージの拡張又は予約フィールドにネットワーククラウドチャートにおけるセル情報中の「情報更新時間」のフォーマットと一致する１つの「情報更新時間」を追加する。このフィールドがない又はフィールドの値がデフォルトの０であると、このセルがインテリジェントアクセスをサポートしないことを示す。
【０１２８】
（２）インテリジェントアクセスと従来のアクセス及び切り替えとの互換性を図るために、セルはランダムアクセスの上りパイロットリソースを一定の規則に基づき分類しなければならず、一部のパイロットはインテリジェントアクセスに用いられ、ここでインテリジェントアクセス上りパイロットと定義され、残りのパイロットは区別して従来のアクセス及び切り替えに用いられ、ここで非インテリジェントアクセス上りパイロットと総称される。それにより、ブロードキャストメッセージの拡張又は予約フィールドに１つの「インテリジェントアクセス上りパイロット」を追加するが、ブロードキャストメッセージにおける従来のアクセス及び切り替え用の上りパイロットフィールドが保持され、パイロットリソースが相対的に減少する。
【０１２９】
（３）セルの関連情報が変化する時、セルは所定のメカニズムによってインターネットサーバにおけるネットワーククラウドチャートに対して更新、たとえばサイクルトリガ更新又はイベントトリガ更新を行う。
【０１３０】
完全な端末アクセスプロセスは、以下のステップを含む。
【０１３１】
ステップ１２０１：インテリジェントアクセスをサポートする端末が、信号測定によって、１つの最適セルを発見して選択する。
【０１３２】
ステップ１２０２：このセルのブロードキャストメッセージを読み取る。
【０１３３】
ステップ１２０３：端末はセルブロードキャストメッセージによって該セルが輻輳するか否かを確認し、輻輳すると、ステップ１に戻り、１つの新しいセルを改めて選択し、輻輳しないと、次のステップに入る。
【０１３４】
ステップ１２０４：端末はそのメモリを検索し、有効なネットワーククラウドチャートを記憶したか否か、ネットワーククラウドチャートが現在の領域を含むか否か、現在の領域が該セル情報を含むか否か、セル情報における情報更新時間がセルブロードキャストメッセージにおける情報更新時間と一致するか否かを順に確認し、上記のすべての判断がＹＥＳであると、端末がこのセルにインテリジェントアクセスする条件を満たすと判断し、上記のすべての判断のいずれかがＮＯである限り、端末がこのセルにインテリジェントアクセスする条件を満たさないと判断し、次のステップに入る。
【０１３５】
ステップ１２０５：端末がセルにＭＳＧ１を送信し、インテリジェントアクセス条件を満たすと、ＭＳＧ１がインテリジェントアクセス上りパイロットであり、インテリジェントアクセス条件を満たさないと、ＭＳＧ１が非インテリジェントアクセス上りパイロットである。
【０１３６】
ステップ１２０６：セルが端末にＭＳＧ２を送信する。
【０１３７】
ステップ１２０７：端末がセルにＭＳＧ３を送信し、アクセス原因が実際の状況に応じて決定され、インテリジェントアクセス条件を満たすと、アクセス原因がＡ／Ｂ／Ｃ／Ｄ／Ｅを含み、インテリジェントアクセス条件を満たさないと、アクセス原因がＡ／Ｂ／Ｄ／Ｅを含む。
【０１３８】
ステップ１２０８：セルはコアネットワークの端末情報共有クラウドチャートにおいて該端末を検索し、所定の検索タイマがタイムアウトになる前に見つける場合、インテリジェントアクセス条件を満たすと、この端末が検証免除インテリジェント端末であると判断し、インテリジェントアクセス条件を満たさないと、この端末が検証免除普通端末であると判断し、所定の検索タイマがタイムアウトになる前に見つけていない場合、インテリジェントアクセス条件を満たすと、この端末が検証待ちインテリジェント端末であると判断し、インテリジェントアクセス条件を満たさないと、この端末が検証待ち普通端末であると判断し、次のステップに入る。
【０１３９】
ステップ１２０９：パラメータ設定を行い、検証免除インテリジェント端末であると、セルと端末がＳＳ１＿２の専用パラメータ設定を行い、セルとコアネットワークがＳＳ３のパラメータ設定を行い、検証待ちインテリジェント端末であると、セルと端末がＳＳ１＿２の専用パラメータ設定を行い、コアネットワークと端末がＳＳ２のパラメータ設定を行い、セルとコアネットワークがＳＳ３のパラメータ設定を行い、検証免除普通端末であると、セルと端末がＳＳ１（共通パラメータＳＳ１＿２及び専用パラメータＳＳ１＿２を含む）のパラメータ設定を行い、セルとコアネットワークがＳＳ３のパラメータ設定を行い、検証待ち普通端末であると、セルと端末がＳＳ１（共通パラメータＳＳ１＿２及び専用パラメータＳＳ１＿２を含む）のパラメータ設定を行い、コアネットワークと端末がＳＳ２のパラメータ設定を行い、セルとコアネットワークがＳＳ３のパラメータ設定を行う。
【０１４０】
ステップ１２１０：関連情報が変化すると、端末はそれに記憶されたネットワーククラウドチャートにおけるこのセルの関連情報を更新する必要があり、セルは端末情報共有クラウドチャートにおけるこの端末の関連情報を更新する必要がある。
【０１４１】
図１６は本発明の実施例の方法に係る４つのネットワークエレメントの模式図であり、「インテリジェントアクセスをサポートするモバイル通信セルラーネットワークのセル」、「インテリジェントアクセスをサポートする端末」、「端末情報共有クラウドチャートを内蔵したコアネットワーク」、「ネットワーククラウドチャートを内蔵したインターネット」の４つのネットワークエレメントを含む。
【０１４２】
上記方法の実施例１、２に対応し、本発明の実施例は端末アクセスシステムを提供し、図１７に示されるように、該システムは、
セルの端末共通エアインターフェース設定パラメータを含むセル関連情報を含む、端末共通エアインターフェース設定パラメータ及び／又はセルブロードキャストメッセージにインテリジェントアクセス用の第１上りパイロットを含むネットワーククラウドチャートを記憶するように設定されるインターネットサーバと、
所定の戦略によってインターネットサーバからセル関連情報を含むネットワーククラウドチャートをダウンロードして記憶するように設定される端末のネットワーククラウドチャートダウンロードモジュールと、
セルとインタラクションしてランダムアクセス過程を実行し、前記ネットワーククラウドチャートダウンロードモジュールに記憶されたネットワーククラウドチャートがアクセスしようとするセルのセル関連情報を含み、且つ該セル関連情報が有効であると、第１上りパイロットを送信し、前記ネットワーククラウドチャートダウンロードモジュールに記憶されたネットワーククラウドチャートがアクセスしようとするセルのセル関連情報を含まず、又は該セル関連情報が無効であると、非インテリジェントアクセス用の第２上りパイロットを送信するように設定される端末のランダムアクセスモジュールと、
無線エアインターフェースパラメータ設定過程を実行し、端末が第１上りパイロットを送信すると、前記ネットワーククラウドチャートの端末共通エアインターフェース設定パラメータに対応する端末共通エアインターフェース設定を実行せず、端末が第２上りパイロットを送信すると、前記ネットワーククラウドチャートの端末共通エアインターフェース設定パラメータに対応する端末共通エアインターフェース設定を実行するように設定される端末、セル及びコアネットワークのパラメータ設定モジュールと、を備える。
【０１４３】
好ましくは、前記ネットワーククラウドチャートはセル関連情報に対応する情報更新時間をさらに含み、前記セル関連情報はセルを識別するためのセル識別子情報をさらに含み、セルブロードキャストメッセージにネットワーククラウドチャートにおけるセル関連情報の情報更新時間が載せられ、図１８に示されるように、本発明の端末アクセスシステムの別の一実施例において、図１７に示されるシステムに対して、該システムは、
ランダムアクセスを実行する前、セルブロードキャストメッセージを受信し且つ前記セル識別子情報に基づきアクセスしようとするセルのセル関連情報を記憶したか否かを判断することに用いられ、記憶した判断する時、セルブロードキャストメッセージにおける情報更新時間が記憶した前記セル関連情報の情報更新時間と一致するか否かを判断し、一致すると、有効であると判断し、一致しないと、無効であると判断することにさらに用いられる前記端末の有効性判断モジュールをさらに備える。
【０１４４】
好ましくは、前記アクセスしようとするセルは前記端末が測定結果に基づき選択されるものである。
【０１４５】
図１９に示されるように、本発明の端末アクセスシステムの第３実施例において、図１７に示されるシステムに対して、該システムは、
端末共通エアインターフェース設定を実行した後、端末共通エアインターフェース設定結果に基づきそれに記憶されたネットワーククラウドチャートにおける該セルのセル関連情報を更新し、且つ受信したセルブロードキャストメッセージにおける情報更新時間に基づきそれに記憶された情報更新時間を更新するように設定される前記端末のネットワーククラウドチャート更新モジュールをさらに備える。
【０１４６】
本発明の端末アクセスシステムの第４実施例において、図１７に示されるシステムに対して、図２０に示されるように、該システムは、
ネットワークにアタッチしている又はアタッチしたことのある端末の関連情報を含む端末情報共有クラウドチャートを記憶するように設定されるコアネットワークの共有クラウドチャート記憶モジュールと、
コアネットワークに記憶された端末情報共有クラウドチャートが前記端末の関連情報を含むか否かを判断し、前記端末情報共有クラウドチャートが前記端末の関連情報を含む時、前記端末、セル、コアネットワークのパラメータ設定モジュールがセキュリティパラメータ設定過程を実行せず、前記端末情報共有クラウドチャートが前記端末の関連情報を含まない時、セキュリティパラメータ設定過程を実行するように設定されるセルの端末情報判断モジュールと、をさらに備える。
【０１４７】
好ましくは、前記セル及びコアネットワークのパラメータ設定モジュールにより実行されるパラメータ設定は既存のベアラ設定の継承及びセル切り替え時のデータ伝送関係の移行をさらに含む。
【０１４８】
図２０に示されるように、前記システムは、前記端末情報が変化する時にコアネットワークに端末情報更新メッセージを送信するように設定されるセルの共有クラウドチャート更新モジュールをさらに備え、
前記コアネットワークの共有クラウドチャート記憶モジュールはさらに、前記端末情報更新メッセージに基づき前記端末情報共有クラウドチャートを更新するように設定され、
前記セルの共有クラウドチャート更新モジュールはさらに、前記セルが前記端末との通信を解除する時、非アクティブ化メッセージを前記コアネットワークの共有クラウドチャート記憶モジュールに送信するように設定され、
前記コアネットワークの共有クラウドチャート記憶モジュールはさらに、前記非アクティブ化メッセージに基づきタイマを起動し、タイマがタイムアウトになり且つ端末情報更新メッセージを受信していないと、該非アクティブ化した端末の関連情報を削除するように設定される。
【０１４９】
好ましくは、前記端末のランダムアクセスモジュールがセルとインタラクションすることは、アクセスしようとするセルに上りパイロットを送信し及び前記上りパイロット応答を受信した後にアクセス要求を送信し、前記端末は測定結果に基づき新しいセルに切り替える必要があると判断し、且つ第２上りパイロットを送信すると、前記アクセス要求に載せられたアクセス原因は無線リンク失敗後に確立される初期アクセスである。
【０１５０】
好ましくは、前記セルブロードキャストメッセージにセル運転状態情報がさらに載せられ、前記セル運転状態情報は現在セルが輻輳状態であることを示すと、前記端末のランダムアクセスモジュールはアクセスしようとするセルを改めて選択してランダムアクセス過程を実行する。
【０１５１】
方法の実施例３に対応し、本発明の実施例は端末をさらに提供し、図２１に示されるように、前記端末は、
測定結果に基づき新しいセルに切り替える必要がある時、アクセスしようとする新しいセルを選択するように設定されるセル選択モジュールと、
上りパイロットを送信するように設定される上りパイロット送信モジュールと、
ネットワーク側の送信する上りパイロット応答を受信した後、無線リンク失敗後の初期アクセス確立というアクセス確立原因が載せられたアクセス要求を送信するように設定されるアクセス要求送信モジュールと、を備える。
【０１５２】
方法の実施例４に対応し、本発明の実施例は別の一端末アクセスシステムをさらに提供し、図２２に示されるように、該システムは、
ネットワークにアタッチしている又はアタッチしたことのある端末の関連情報を含む端末情報共有クラウドチャートを記憶し、前記端末情報更新メッセージに基づき前記端末情報共有クラウドチャートを更新するように設定されるコアネットワークの共有クラウドチャート記憶モジュールと、
端末の送信するアクセス要求を受信した後、コアネットワーク端末情報共有クラウドチャートが該端末の関連情報を含むか否かを検索するように設定されるセルの端末認識モジュールと、
パラメータ設定を実行し、端末情報共有クラウドチャートが該端末を含むと、セキュリティパラメータ設定を実行せず、前記端末情報共有クラウドチャートが該端末を含まないと、セキュリティパラメータ設定を実行するように設定されるコアネットワーク、セル及び端末のパラメータ設定モジュールと、
前記端末情報が変化する時にコアネットワークに端末情報更新メッセージを送信するように設定されるセルの共有クラウドチャート更新モジュールと、を備える。
【０１５３】
前記セルの共有クラウドチャート更新モジュールはさらに、前記セルが前記端末との通信を解除する時、非アクティブ化メッセージを前記コアネットワークの共有クラウドチャート記憶モジュールに送信するように設定され、
好ましくは、前記コアネットワークの共有クラウドチャート記憶モジュールはさらに、前記非アクティブ化メッセージに基づきタイマを起動し、タイマがタイムアウトになり且つ端末情報更新メッセージを受信していないと、該非アクティブ化した端末の関連情報を削除するように設定される。
【０１５４】
また、本発明の実施例は実施例１、２又は５を実現するための端末をさらに提供し、該端末は、
所定の戦略によって、セルの端末共通エアインターフェース設定パラメータを含むセル関連情報を含む、端末共通エアインターフェース設定パラメータ及び／又はセルブロードキャストメッセージにインテリジェントアクセス用の第１上りパイロットを含むネットワーククラウドチャートをインターネットサーバからダウンロードして記憶するように設定されるネットワーククラウドチャートダウンロードモジュールと、
セルとインタラクションしてランダムアクセス過程を実行し、前記ネットワーククラウドチャートダウンロードモジュールに記憶されたネットワーククラウドチャートがアクセスしようとするセルのセル関連情報を含み、且つ該セル関連情報が有効であると、第１上りパイロットを送信し、前記ネットワーククラウドチャートダウンロードモジュールに記憶されたネットワーククラウドチャートがアクセスしようとするセルのセル関連情報を含まず、又は該セル関連情報が無効であると、非インテリジェントアクセス用の第２上りパイロットを送信するように設定されるランダムアクセスモジュールと、
無線エアインターフェースパラメータ設定過程を実行し、第１上りパイロットを送信すると、前記ネットワーククラウドチャートの端末共通エアインターフェース設定パラメータに対応する端末共通エアインターフェース設定を実行せず、第２上りパイロットを送信すると、前記ネットワーククラウドチャートの端末共通エアインターフェース設定パラメータに対応する端末共通エアインターフェース設定を実行するように設定されるパラメータ設定モジュールと、を備える。
【０１５５】
好ましくは、前記ネットワーククラウドチャートはセル関連情報に対応する情報更新時間をさらに含み、前記セル関連情報はセルを識別するためのセル識別子情報をさらに含み、セルブロードキャストメッセージにネットワーククラウドチャートにおけるセル関連情報の情報更新時間が載せられ、該端末は、
ランダムアクセスを実行する前、セルブロードキャストメッセージを受信し且つ前記セル識別子情報に基づきアクセスしようとするセルのセル関連情報を記憶したか否かを判断し、記憶したと判断する時、セルブロードキャストメッセージにおける情報更新時間が記憶した前記セル関連情報の情報更新時間と一致するか否かを判断し、一致すると、有効であると判断し、一致しないと、無効であると判断することにさらに用いられるように設定される有効性判断モジュールをさらに備える。
【０１５６】
好ましくは、前記アクセスしようとするセルは前記端末が測定結果に基づき選択されるものである。
【０１５７】
好ましくは、該端末は、
端末共通エアインターフェース設定を実行した後、端末共通エアインターフェース設定結果に基づきそれに記憶されたネットワーククラウドチャートにおける該セルのセル関連情報を更新し、且つ受信したセルブロードキャストメッセージにおける情報更新時間に基づきそれに記憶された情報更新時間を更新するように設定されるネットワーククラウドチャート更新モジュールをさらに備える。
【０１５８】
本発明の実施例はチャネルリソース共有スケジューリングに基づくモバイル通信システムに適用でき、チャネルリソース共有スケジューリングに基づくメカニズムもモバイル通信システムの開発動向である。モバイル通信システムの標準発展過程に、３Ｇ後半のＨＳＰＡ＋及び４Ｇについて、ほとんどこのメカニズムを構築し、次世代モバイル通信システムはこのメカニズムをさらに十分に利用するようになるので、本発明は次世代モバイル通信システムにより適用でき、３ＧのＨＳＰＡ＋及び４Ｇを適宜改良してアップグレードした後、本発明を用いることができる。
【０１５９】
本発明の実施例の端末アクセス方法は従来のアクセス及び切り替えに比べて、インテリジェントアクセスがシグナル面に顕著に簡略化され、且つ従来の切り替え過程中の無線チャネル条件がもっとも悪いシグナル段階（図２のステップ１とステップ２）を回避するので、本発明の実施例によってアクセスと切り替えのエアインターフェース遅延を効果的に減少させ、アクセスと切り替えの成功率を向上させるとともに、シグナルオーバーヘッドを大幅に減少させ、同一周波数干渉を低減させることにより、ネットワークはさらに多くのリソース及びエネルギーを実際の有効データの伝送に用い、リソースの利用率を向上させ、同一周波数ネットワークにおけるセル境界切り替え領域のサービス性能の向上に極めて有利である。
【０１６０】
勿論、当業者にとって、上記本発明の各モジュール又は各ステップは汎用コンピューティング装置により実現されてもよく、１つのコンピューティング装置に集積されてもよく、複数のコンピューティング装置から構成されるネットワークに分散されてもよく、コンピューティング装置に実行可能なプログラムコードによって実現されてもよく、それにより、それらを記憶装置に記憶してコンピューティング装置で実行してもよく、且つ必要に応じて、ここでの順番と異なる順番で示される又は説明されるステップを実行してもよく、それらをそれぞれ各集積回路モジュールとして作成してもよく、それらのうちの複数のモジュール又はステップを単一の集積回路モジュールとして作成して実現してもよい。それにより、本発明はいずれの特定のハードウェアとソフトウェアの組み合わせに限定するものではない。
【産業上の利用可能性】
【０１６１】
本発明の実施例に係る端末アクセス方法は、アクセス過程にシグナル交換で実現される必要のある設定パラメータをインターネットサーバ又はコアネットワークによって予め記憶することにより、端末の多すぎるシグナル交換を効果的に回避し、シグナルオーバーヘッドを減少させることができる。切り替えシーンに対して、本発明の実施例は切り替えようとするセルを直接選択し、且つターゲットセルにアクセス過程を直接確立することにより、元セルとインタラクションする時の干渉が深刻である期間を回避する。
【図１】
0006019233.tif 000002
【図２】
0006019233.tif 000003
【図３】
0006019233.tif 000004
【図４】
0006019233.tif 000005
【図５】
0006019233.tif 000006
【図６】
0006019233.tif 000007
【図７】
0006019233.tif 000008
【図８】
0006019233.tif 000009
【図９】
0006019233.tif 000010
【図１０】
0006019233.tif 000011
【図１１】
0006019233.tif 000012
【図１２】
0006019233.tif 000013
【図１３】
0006019233.tif 000014
【図１４】
0006019233.tif 000015
【図１５】
0006019233.tif 000016
【図１６】
0006019233.tif 000017
【図１７】
0006019233.tif 000018
【図１８】
0006019233.tif 000019
【図１９】
0006019233.tif 000020
【図２０】
0006019233.tif 000021
【図２１】
0006019233.tif 000022
【図２２】
0006019233.tif 000023